(57)【特許請求の範囲】
【請求項１】
インターフェース装置であって、
第１のネットワークポート、第１のプロセッサ、及び第１のＵＳＢインターフェースを有し、
前記第１のＵＳＢインターフェースは、モバイルネットワークアクセス装置へ接続され、
前記第１のネットワークポートは、有線ワイドエリアネットワークへ接続するよう構成され、且つ
前記第１のプロセッサは、検出ユニット及び命令ユニットを有し、
前記検出ユニットは、前記有線ワイドエリアネットワークが利用可能であるかどうかを検出するよう構成され、且つ、前記命令ユニットは、前記有線ワイドエリアネットワークが利用可能であることを前記検出ユニットが検出する場合に、前記第１のＵＳＢインターフェースを使用することによって第１のネットワークアクセス命令情報を前記モバイルネットワークアクセス装置へ送信するよう構成され、前記第１のネットワークアクセス命令情報は、前記モバイルネットワークアクセス装置に、前記有線ワイドエリアネットワークにアクセスするために、前記第１のＵＳＢインターフェース及び前記第１のネットワークポートを使用することによって、前記有線ワイドエリアネットワークへのダイアルアップ要求を開始するよう指示するのに使用され、
当該インターフェース装置は、電話装置へ接続するよう構成される電話インターフェースを更に有し、且つ、前記第１のプロセッサは、変換ユニットを更に有し、
前記変換ユニットは、前記電話インターフェースを使用することによって受信されたアナログボイスアクセス要求情報をデジタルボイスアクセス要求情報へ変換し、前記第１のＵＳＢインターフェースを使用することによって前記デジタルボイスアクセス要求情報を前記モバイルネットワークアクセス装置へ送信するよう構成され、前記デジタルボイスアクセス要求情報は、前記モバイルネットワークアクセス装置に、前記デジタルボイスアクセス要求情報に従って、前記モバイルネットワークアクセス装置へ接続されているワイドエリアネットワークへのＩＰ電話登録要求を開始するよう指示するのに使用され、それにより、前記電話装置は、前記ワイドエリアネットワークを用いてＩＰ電話サービスを実行し、且つ
前記変換ユニットは更に、前記第１のＵＳＢインターフェースを使用することによって受信されたデジタルＩＰ電話データをアナログＩＰ電話データへ変換し、そして前記電話インターフェースを使用することによって前記アナログＩＰ電話データを前記電話装置へ送信するよう構成され、且つ、前記変換ユニットは更に、前記第１のネットワークポートを使用することによって受信されたデジタルＩＰ電話データをアナログＩＰ電話データへ変換し、そして前記第１のＵＳＢインターフェースを使用することによって前記アナログＩＰ電話データを前記モバイルネットワークアクセス装置へ送信するよう構成される、
インターフェース装置。
【請求項２】
前記命令ユニットは更に、前記有線ワイドエリアネットワークが利用不可能であることを前記検出ユニットが検出する場合に、前記第１のＵＳＢインターフェースを使用することによって第２のネットワークアクセス命令情報を前記モバイルネットワークアクセス装置へ送信するよう構成され、前記第２のネットワークアクセス命令情報は、前記モバイルネットワークアクセス装置に、無線ワイドエリアネットワークにアクセスするよう指示するのに使用される、
請求項１に記載のインターフェース装置。
【請求項３】
前記第１のネットワークアクセス命令情報は更に、前記モバイルネットワークアクセス装置に、該モバイルネットワークアクセス装置を無線ワイドエリアネットワークから切り離すよう指示するよう構成される、
請求項１又は２に記載のインターフェース装置。
【請求項４】
前記有線ワイドエリアネットワークが利用可能であるかどうかは、前記第１のネットワークポートが利用可能な有線ワイドエリアネットワークへ接続されるかどうかであり、且つ
前記検出ユニットは具体的に、前記第１のネットワークポートが利用可能な有線ワイドエリアネットワークへ接続されるかどうかを検出するよう構成され、そして、前記第１のネットワークポートが利用可能な有線ワイドエリアネットワークへ接続されることが検出される場合は、前記命令ユニットは、前記第１のＵＳＢインターフェースを使用することによって前記第１のネットワークアクセス命令情報を前記モバイルネットワークアクセス装置へ送信し、あるいは、
前記有線ワイドエリアネットワークが利用可能であるかどうかは、前記第１のネットワークポートが使用可能であるかどうかであり、且つ
前記検出ユニットは具体的に、前記第１のネットワークポートが使用可能であるかどうかを検出するよう構成され、そして、前記第１のネットワークポートが使用可能であることが検出される場合は、前記命令ユニットは、前記第１のＵＳＢインターフェースを使用することによって前記第１のネットワークアクセス命令情報を前記モバイルネットワークアクセス装置へ送信する、
請求項１乃至３のうちいずれか一項に記載のインターフェース装置。
【請求項５】
当該インターフェース装置は、第２のネットワークポートを更に有し、
前記第２のネットワークポートは、第１のネットワークアクセス装置へ接続するよう構成され、それにより、前記モバイルネットワークアクセス装置が前記有線ワイドエリアネットワーク又は無線ワイドエリアネットワークにアクセスする場合に、且つ、アクセスホットスポットとして前記モバイルネットワークアクセス装置を含むローカルエリアネットワークが確立された後に、前記第１のネットワークアクセス装置は、前記第２のネットワークポート及び前記第１のＵＳＢインターフェースを使用することによって前記ローカルエリアネットワークにアクセスする、
請求項１乃至４のうちいずれか一項に記載のインターフェース装置。
【請求項６】
モバイルネットワークアクセス装置であって、
第２のＵＳＢインターフェース及び第２のプロセッサを有し、
前記第２のＵＳＢインターフェースは、インターフェース装置へ接続され、且つ、第１のネットワークアクセス命令情報を前記インターフェース装置から受信するよう構成され、且つ
前記第２のプロセッサは、制御ユニット及びダイアルアップユニットを有し、
前記制御ユニットは、前記第１のネットワークアクセス命令情報に従って、前記ダイアルアップユニットに、有線ワイドエリアネットワークにアクセスするために、前記第２のＵＳＢインターフェース及び前記インターフェース装置を使用することによって、前記インターフェース装置へ現在接続されている前記有線ワイドエリアネットワークへダイアルアップ要求を送信するよう指示するよう構成され、
前記第２のプロセッサは更に、前記第２のＵＳＢインターフェースを使用することによって受信されたデジタルボイスアクセス要求情報に従って、当該モバイルネットワークアクセス装置へ接続されているワイドエリアネットワークへのＩＰ電話登録要求を開始するよう構成され、それにより、前記デジタルボイスアクセス要求情報に対応するアナログボイスアクセス要求情報を送信する電話装置は、前記ワイドエリアネットワークを用いてＩＰ電話サービスを実行する、
モバイルネットワークアクセス装置。
【請求項７】
当該モバイルネットワークアクセス装置は、無線ネットワークアクセスモジュールを更に有し、
前記第２のＵＳＢインターフェースは更に、第２のネットワークアクセス命令情報を前記インターフェース装置から受信するよう構成され、且つ
前記制御ユニットは更に、前記第２のネットワークアクセス命令情報に従って、前記無線ネットワークアクセスモジュールに、無線ワイドエリアネットワークにアクセスするよう指示するよう構成される、
請求項６に記載のモバイルネットワークアクセス装置。
【請求項８】
当該モバイルネットワークアクセス装置は、ＷｉＦｉモジュールを更に有し、且つ
前記制御ユニットは更に、当該モバイルネットワークアクセス装置が前記有線ワイドエリアネットワーク又は前記無線ワイドエリアネットワークにアクセスした後に、前記ＷｉＦｉモジュールに、アクセスホットスポットとして当該モバイルネットワークアクセス装置を含むローカルエリアネットワークを確立するよう指示するよう構成される、
請求項７に記載のモバイルネットワークアクセス装置。
【請求項９】
前記制御ユニットは更に、前記第１のネットワークアクセス命令情報に従って、前記無線ネットワークアクセスモジュールに、無線ワイドエリアネットワークとの接続を断つよう指示するよう構成される、
請求項７又は８に記載のモバイルネットワークアクセス装置。
【請求項１０】
ネットワークポートがインターフェース装置に配置されて、有線ワイドエリアネットワークへ接続するのに使用され、前記インターフェース装置がＵＳＢインターフェースを使用することによって更にモバイルネットワークアクセス装置へ接続されるネットワークアクセス方法であって、当該方法は、
前記インターフェース装置によって、現在接続されている前記有線ワイドエリアネットワークが利用可能であるかどうかを検出するステップと、
前記有線ワイドエリアネットワークが利用可能である場合に、前記インターフェース装置によって、第１のネットワークアクセス命令情報を前記モバイルネットワークアクセス装置へ送信するステップであって、前記第１のネットワークアクセス命令情報は、前記モバイルネットワークアクセス装置に、前記有線ワイドエリアネットワークにアクセスするために、前記インターフェース装置を使用することによって、前記有線ワイドエリアネットワークへのダイアルアップ要求を開始するよう指示するのに使用される、ステップと、
前記インターフェース装置によって、アナログボイスアクセス要求情報を受信するステップと、
前記アナログボイスアクセス要求情報をデジタルボイスアクセス要求情報へ変換するステップと、
前記デジタルボイスアクセス要求情報を前記モバイルネットワークアクセス装置へ送信するステップと、
デジタルＩＰ電話データを受信するステップと、
前記デジタルＩＰ電話データをアナログＩＰ電話データへ変換するステップと、
前記アナログＩＰ電話データを電話装置へ送信するステップと
を有し、
前記デジタルボイスアクセス要求情報は、前記モバイルネットワークアクセス装置に、前記デジタルボイスアクセス要求情報に従って、前記モバイルネットワークアクセス装置へ接続されているワイドエリアネットワークへのＩＰ電話登録要求を開始するよう指示するのに使用され、それにより、前記アナログボイスアクセス要求情報を送信する前記電話装置は、前記ワイドエリアネットワークを用いてＩＰ電話サービスを実行する、
ネットワークアクセス方法。
【請求項１１】
当該方法は、
前記有線ワイドエリアネットワークが利用不可能である場合に、前記インターフェース装置によって、第２のネットワークアクセス命令情報を前記モバイルネットワークアクセス装置へ送信するステップ
を更に有し、
前記第２のネットワークアクセス命令情報は、前記モバイルネットワークアクセス装置に、無線ワイドエリアネットワークにアクセスするよう指示するのに使用される、
請求項１０に記載のネットワークアクセス方法。
【請求項１２】
前記第１のネットワークアクセス命令情報は更に、前記モバイルネットワークアクセス装置に、該モバイルネットワークアクセス装置を無線ワイドエリアネットワークから切り離すよう指示するのに使用される、
請求項１０又は１１に記載のネットワークアクセス方法。
【請求項１３】
前記有線ワイドエリアネットワークが利用可能であるかどうかが、前記ネットワークポートが利用可能な有線ワイドエリアネットワークへ接続されるかどうかである場合は、
前記インターフェース装置によって、現在接続されている前記有線ワイドエリアネットワークが利用可能であるかどうかを検出する前記ステップは、前記インターフェース装置によって、現在接続されている前記ネットワークポートが利用可能な有線ワイドエリアネットワークへ接続されるかどうかを検出するステップであり、且つ
前記有線ワイドエリアネットワークが利用可能である場合に、前記インターフェース装置によって、第１のネットワークアクセス命令情報を前記モバイルネットワークアクセス装置へ送信する前記ステップは、前記ネットワークポートが利用可能な有線ワイドエリアネットワークへ接続される場合に、前記インターフェース装置によって、前記第１のネットワークアクセス命令情報を前記モバイルネットワークアクセス装置へ送信するステップであり、
前記有線ワイドエリアネットワークが利用可能であるかどうかが、前記ネットワークポートが使用可能であるかどうかである場合は、
前記インターフェース装置によって、現在接続されている前記有線ワイドエリアネットワークが利用可能であるかどうかを検出する前記ステップは、前記インターフェース装置によって、前記ネットワークポートが使用可能であるかを検出するステップであり、且つ
前記有線ワイドエリアネットワークが利用可能である場合に、前記インターフェース装置によって、第１のネットワークアクセス命令情報を前記モバイルネットワークアクセス装置へ送信する前記ステップは、前記ネットワークポートが使用可能である場合に、前記インターフェース装置によって、前記第１のネットワークアクセス命令情報を前記モバイルネットワークアクセス装置へ送信するステップである、
請求項１０乃至１２のうちいずれか一項に記載のネットワークアクセス方法。
【発明の詳細な説明】
【技術分野】
【０００１】
本発明は、通信技術の分野に関し、特に、ネットワークアクセス方法、インターフェース装置、及びモバイルネットワークアクセス装置に関する。
【背景技術】
【０００２】
ワイドエリアネットワーク（ＷＡＮ，Ｗｉｄｅ  Ａｒｅａ  Ｎｅｔｗｏｒｋ）は、リモートネットワークとも呼ばれ、一般的に、非常に広い物理的範囲に渡り、数十キロメートル乃至数千キロメートルのカバレッジ範囲を有する。ワイドエリアネットワークは、複数の都市又は国を接続し、又は数カ国を横切って伸びることができ、且つ、国際的なリモートネットワークを形成するよう長距離通信を提供することができる。
【０００３】
ローカルエリアネットワーク（Ｌｏｃａｌ  Ａｒｅａ  Ｎｅｔｗｏｒｋ，ＬＡＮ）は、様々なコンピュータ、外部装置、及びデータベースを局所的な地理的範囲において（例えば、学校、工場、及び施設において）相互接続することによって形成されるコンピュータ通信ネットワークを指す。ローカルエリアネットワークは、広い範囲をカバーする情報処理システムを形成するよう、データ通信ネットワーク又は専用のデータ回路を使用することによって遠くのローカルエリアネットワーク、データベース、又は処理センターへ接続され得る。
【０００４】
通信技術の発展に伴い、２Ｇ／３Ｇ／４Ｇモジュール及びＷｉＦｉ（Ｗｉｒｅｌｅｓｓ  Ｆｉｄｅｌｉｔｙ，ワイヤレス・フィデリティ）モジュールを含み、有線ネットワークデータ伝送をサポートし、且つ、無線アクセス装置（例えば、ＡＰ（Ａｃｃｅｓｓ  Ｐｏｉｎｔ，アクセスポイント））ホットスポット機能を備えるモバイルネットワークアクセス装置は、２Ｇ／３Ｇ／４Ｇモジュールを使用することによって無線ワイドエリアネットワークにアクセスし、且つ、ＷｉＦｉモジュールを使用することによって無線ローカルエリアネットワークを確立することができ、それにより、他のネットワークアクセス装置は、インターネットにアクセスするよう無線ローカルエリアネットワークにアクセスする。このプロセスにおいて、ネットワークノードとして、モバイルネットワークアクセス装置は、ワイドエリアネットワークとローカルエリアネットワークとの間の接続を実施する。モバイルネットワークアクセス装置は、携帯電話機、無線ルータ、タブレット、又は同様のものであってよい。
【０００５】
ネットワークアクセスを実施するプロセスにおいて、発明者は、先行技術が少なくとも次の問題を伴うことを発見する：製品原価及び製品サイズのような理由により、モバイルネットワークアクセス装置は有線アクセス機能を備えず、そして有線ネットワークを用いて有線ワイドエリアネットワークにアクセスすることができない。
【発明の概要】
【発明が解決しようとする課題】
【０００６】
本発明の実施形態は、無線モバイルネットワークアクセス装置の製品サイズを増大させること又は製品原価を増大させることを伴わずに、有線ネットワークを使用することによってワイドエリアネットワークへのモバイルネットワークアクセス装置のアクセスを実施するネットワークアクセス方法、インターフェース装置及びモバイルネットワークアクセス装置を提供する。
【課題を解決するための手段】
【０００７】
前述の目的を達成するために、本発明の実施形態は、下記の技術的解決法を採用する：
【０００８】
インターフェース装置は、第１のネットワークポート、第１のプロセッサ、及び第１のＵＳＢインターフェースを有し、
前記第１のＵＳＢインターフェースは、モバイルネットワークアクセス装置へ接続され、
前記第１のネットワークポートは、有線ワイドエリアネットワークへ接続するよう構成され、且つ
前記第１のプロセッサは、検出ユニット及び命令ユニットを有し、
前記検出ユニットは、前記有線ワイドエリアネットワークが利用可能であるかどうかを検出するよう構成され、且つ、前記命令ユニットは、前記有線ワイドエリアネットワークが利用可能であることを前記検出ユニットが検出する場合に、前記第１のＵＳＢインターフェースを使用することによって第１のネットワークアクセス命令情報を前記モバイルネットワークアクセス装置へ送信するよう構成され、前記第１のネットワークアクセス命令情報は、前記モバイルネットワークアクセス装置に、前記有線ワイドエリアネットワークにアクセスするために、前記第１のＵＳＢインターフェース及び前記第１のネットワークポートを使用することによって、前記有線ワイドエリアネットワークへのダイアルアップ要求を開始するよう指示するのに使用される。
【０００９】
モバイルネットワークアクセス装置は、第２のＵＳＢインターフェース及び第２のプロセッサを有し、
前記第２のＵＳＢインターフェースは、インターフェース装置へ接続され、且つ、第１のネットワークアクセス命令情報を前記インターフェース装置から受信するよう構成され、且つ
前記第２のプロセッサは、制御ユニット及びダイアルアップユニットを有し、
前記制御ユニットは、前記第１のネットワークアクセス命令情報に従って、前記ダイアルアップユニットに、有線ワイドエリアネットワークにアクセスするために、前記第２のＵＳＢインターフェース及び前記インターフェース装置を使用することによって、前記インターフェース装置へ現在接続されている前記有線ワイドエリアネットワークへダイアルアップ要求を送信するよう指示するよう構成される。
【００１０】
ネットワークアクセス方法が提供され、ネットワークポートがインターフェース装置に配置されて、有線ワイドエリアネットワークへ接続するのに使用され、前記インターフェース装置がＵＳＢインターフェースを使用することによって更にモバイルネットワークアクセス装置へ接続され、当該方法は、
前記インターフェース装置によって、現在接続されている前記有線ワイドエリアネットワークが利用可能であるかどうかを検出するステップと、
前記有線ワイドエリアネットワークが利用可能である場合に、前記インターフェース装置によって、第１のネットワークアクセス命令情報を前記モバイルネットワークアクセス装置へ送信するステップと
を有し、
前記第１のネットワークアクセス命令情報は、前記モバイルネットワークアクセス装置に、前記有線ワイドエリアネットワークにアクセスするために、前記インターフェース装置を使用することによって、前記有線ワイドエリアネットワークへのダイアルアップ要求を開始するよう指示するのに使用される。
【００１１】
他のネットワークアクセス方法が提供され、モバイルネットワークアクセス装置がＵＳＢインターフェースを使用することによってインターフェース装置へ接続され、当該方法は、
前記モバイルネットワークアクセス装置によって、第１のネットワークアクセス命令情報を前記インターフェース装置から受信するステップと、
前記第１のネットワークアクセス命令情報に従って、前記インターフェース装置へ現在接続されている有線ワイドエリアネットワークにアクセスするために、該有線ワイドエリアネットワークへダイアルアップ要求を送信するステップと
を有する。
【００１２】
本発明の実施形態に従うネットワークアクセス方法、インターフェース装置、及びモバイルネットワークアクセス装置のために、前述の解決法を使用することによって、インターフェース装置が、現在接続されている有線ワイドエリアネットワークが利用可能であることを検出した後に、インターフェース装置は、第１のネットワークアクセス命令情報をモバイルネットワークアクセス装置へ送信し、このとき、第１のネットワークアクセス命令情報は、モバイルネットワークアクセス装置に有線ワイドエリアネットワークにアクセスするよう指示するのに使用される。このように、モバイルネットワークアクセス装置は、インターフェース装置を使用することによって有線ワイドエリアネットワークにアクセスすることができる。
【図面の簡単な説明】
【００１３】
より明りょうに本発明の実施形態において技術的解決法を記載するよう、下記は、実施形態を記載するのに必要とされる添付の図面を簡潔に紹介する。明らかに、下記の説明における添付の図面は、単に本発明の幾つかの実施形態を示すに過ぎず、当業者は依然として、創造的な取り組みを伴わずにそれらの添付の図面から他の図面を導出し得る。
【００１４】
【図１】本発明の実施形態に従うインターフェース装置の略構造図である。
【００１５】
【図２】本発明の実施形態に従う他のインターフェース装置の略構造図である。
【００１６】
【図３】本発明の実施形態に従うモバイルネットワークアクセス装置の略構造図である。
【００１７】
【図４】本発明の実施形態に従う他のモバイルネットワークアクセス装置の略構造図である。
【００１８】
【図５】本発明の実施形態に従うネットワークアクセス方法のフローチャートである。
【００１９】
【図６】本発明の実施形態に従う他のネットワークアクセス方法のフローチャートである。
【００２０】
【図７】本発明の実施形態に従う他のネットワークアクセス方法のフローチャートである。
【００２１】
【図８】本発明の実施形態に従う他のネットワークアクセス方法のフローチャートである。
【００２２】
【図９】本発明の実施形態に従う他のネットワークアクセス方法のフローチャートである。
【００２３】
【図１０】本発明の実施形態に従う他のネットワークアクセス方法のフローチャートである。
【発明を実施するための形態】
【００２４】
下記は、本発明の実施形態における添付の図面を参照して、本発明の実施形態における技術的解決法を明りょうに且つ十分に記載する。明らかに、記載される実施形態は、本発明の全ての実施形態よりむしろ一部に過ぎない。創造的な取り組みによらずに本発明の実施形態に基づき当業者によって得られる全ての他の実施形態は、本発明の保護範囲内にあるべきである。
【実施例１】
【００２５】
この実施形態はインターフェース装置を提供し、図１に示されるように、インターフェース装置は、第１のネットワークポート１、第１のプロセッサ２、及び第１のＵＳＢインターフェース３を有してよく、
第１のＵＳＢインターフェース３は、モバイルネットワークアクセス装置４へ接続され、
第１のネットワークポート１は、有線ワイドエリアネットワークへ接続するよう構成され、且つ
第１のプロセッサ２は、検出ユニット２１及び命令ユニット２２を有し、
検出ユニット２１は、有線ワイドエリアネットワークが利用可能であるかどうかを検出するよう構成され、且つ、命令ユニット２２は、有線ワイドエリアネットワークが利用可能であることを検出ユニット２１が検出する場合に、第１のＵＳＢインターフェース３を使用することによって第１のネットワークアクセス命令情報をモバイルネットワークアクセス装置４へ送信するよう構成され、第１のネットワークアクセス命令情報は、モバイルネットワークアクセス装置４に、有線ワイドエリアネットワークにアクセスするために、第１のＵＳＢインターフェース３及び第１のネットワークポート１を使用することによって、有線ワイドエリアネットワークへのダイアルアップ要求を開始するよう指示するのに使用される。
【００２６】
前述の解決法を使用することによって、インターフェース装置が、現在接続されている有線ワイドエリアネットワークが利用可能であることを検出した後に、インターフェース装置は、第１のネットワークアクセス命令情報をモバイルネットワークアクセス装置へ送信し、このとき、第１のネットワークアクセス命令情報は、モバイルネットワークアクセス装置に有線ワイドエリアネットワークにアクセスするよう指示するのに使用される。このように、モバイルネットワークアクセス装置は、インターフェース装置を使用することによって有線ワイドエリアネットワークにアクセスすることができる。
【実施例２】
【００２７】
実施例１についての改善として、この実施形態は他のインターフェース装置を提供し、図２に示されるように、インターフェース装置は、第１のネットワークポート１、第１のプロセッサ２、及び第１のＵＳＢインターフェース３を有してよく、
第１のＵＳＢインターフェース３は、モバイルネットワークアクセス装置４へ接続され、
第１のネットワークポート１は、有線ワイドエリアネットワークへ接続するよう構成され、且つ
第１のプロセッサ２は、検出ユニット２１及び命令ユニット２２を有し、
検出ユニット２１は、有線ワイドエリアネットワークが利用可能であるかどうかを検出するよう構成され、且つ、命令ユニット２２は、有線ワイドエリアネットワークが利用可能であることを検出ユニット２１が検出する場合に、第１のＵＳＢインターフェース３を使用することによって第１のネットワークアクセス命令情報をモバイルネットワークアクセス装置４へ送信するよう構成され、第１のネットワークアクセス命令情報は、モバイルネットワークアクセス装置４に、有線ワイドエリアネットワークにアクセスするために、第１のＵＳＢインターフェース３及び第１のネットワークポート１を使用することによって、有線ワイドエリアネットワークへのダイアルアップ要求を開始するよう指示するのに使用される。
【００２８】
この実施形態はモバイルネットワークアクセス装置を制限せず、モバイルネットワークアクセス装置は、実際の要件に従って設定されてよく、例えば、携帯電話機、コンピュータ、又は同様のものであってよく、詳細はここでは記載されない。
【００２９】
更に、モバイルネットワークアクセス装置４は、有線ワイドエリアネットワーク又は無線ワイドエリアネットワークにアクセスしてよく、そして、第１のネットワークアクセス命令情報は、モバイルネットワークアクセス装置４に、第１のＵＳＢインターフェース３及び第１のネットワークポート１を使用することによって、有線ワイドエリアネットワークにアクセスするよう指示するのに使用されるので、第１のネットワークアクセス命令情報は更に、モバイルネットワークアクセス装置４に、モバイルネットワークアクセス装置４を無線ワイドエリアネットワークから切り離すよう指示するよう構成される。
【００３０】
更に、命令ユニット２２は更に、有線ワイドエリアネットワークが利用不可能であることを検出ユニット２１が検出する場合に、第１のＵＳＢインターフェース３を使用することによって第２のネットワークアクセス命令情報をモバイルネットワークアクセス装置４へ送信するよう構成され、第２のネットワークアクセス命令情報は、モバイルネットワークアクセス装置４に、無線ワイドエリアネットワークにアクセスするよう指示するのに使用される。
【００３１】
更に、任意に、有線ワイドエリアネットワークが利用可能であるかどうかは、第１のネットワークポート１が利用可能な有線ワイドエリアネットワークへ接続されるかどうかであり、且つ
検出ユニット２１は具体的に、第１のネットワークポート１が利用可能な有線ワイドエリアネットワークへ接続されるかどうかを検出するよう構成され、そして、第１のネットワークポート１が利用可能な有線ワイドエリアネットワークへ接続されることが検出される場合は、命令ユニット２２は、第１のＵＳＢインターフェース３を使用することによって第１のネットワークアクセス命令情報をモバイルネットワークアクセス装置４へ送信する。
【００３２】
更に、任意に、有線ワイドエリアネットワークが利用可能であるかどうかは、第１のネットワークポート１が使用可能であるかどうかであり、且つ
検出ユニット２１は具体的に、第１のネットワークポートが使用可能であるかどうかを検出するよう構成され、そして、第１のネットワークポート１が使用可能であることが検出される場合は、命令ユニット２２は、第１のＵＳＢインターフェース３を使用することによって第１のネットワークアクセス命令情報をモバイルネットワークアクセス装置４へ送信する。
【００３３】
この実施形態の実施様式として、検出ユニット２１が、有線ワイドエリアネットワークが利用可能であることを検出した後に、検出ユニット２１は、第１のネットワークアクセス命令情報をモバイルネットワークアクセス装置４へ送信するよう能動的に命令ユニット２２をトリガし、あるいは、
検出ユニット２１が、有線ワイドエリアネットワークが利用可能であることを検出する場合に、命令ユニット２２は、第１のネットワークアクセス命令情報をモバイルネットワークアクセス装置４へ送信するよう手動によりトリガされる。
【００３４】
具体的に、手動によるトリガ方法は、インターフェース装置にボタンを配置することと、第１のネットワークポート１が有線ワイドエリアネットワークへ接続された後に、ユーザによってボタンを押下し、次いで命令ユニット２２によって第１のネットワークアクセス命令情報をモバイルネットワークアクセス装置４へ送信することとを含んでよい。
【００３５】
この実施形態は、第１のネットワークアクセス命令情報をモバイルネットワークアクセス装置４へ送信するよう命令ユニット２２を能動的にトリガする又は手動によりトリガする方法を制限せず、該方法は、当業者に知られている如何なる方法であってもよく、詳細はここでは記載されない。
【００３６】
モバイルネットワークアクセス装置４は、インターフェース装置を使用することによって有線ワイドエリアネットワークにアクセスするのみならず、モバイルネットワークアクセス装置４に内蔵された２Ｇ／３Ｇ／４Ｇモジュールのような無線ネットワークアクセスモジュールを使用することによって無線ワイドエリアネットワークにアクセスしてもよい。
【００３７】
更に、命令ユニット２２は更に、有線ワイドエリアネットワークが利用不可能であることを検出ユニット２１が検出する場合に、第１のＵＳＢインターフェース３を使用することによって第２のネットワークアクセス命令情報をモバイルネットワークアクセス装置４へ送信するよう構成され、第２のネットワークアクセス命令情報は、モバイルネットワークアクセス装置４に、無線ワイドエリアネットワークにアクセスするよう指示するのに使用される。
【００３８】
更に、インターフェース装置は、第２のネットワークポート５を更に有する。
【００３９】
第２のネットワークポート５は、第１のネットワークアクセス装置へ接続するよう構成され、それにより、モバイルネットワークアクセス装置４が有線ワイドエリアネットワーク又は無線ワイドエリアネットワークにアクセスする場合に、且つ、アクセスホットスポットとしてモバイルネットワークアクセス装置４を含むローカルエリアネットワークが確立された後に、第１のネットワークアクセス装置は、第２のネットワークポート５及び第１のＵＳＢインターフェース３を使用することによってローカルエリアネットワークにアクセスする。更に、第２のネットワークポート５の数は１つであってよく、更には１よりも多くてよく、これは本発明によって制限されない。ローカルエリアネットワークは有線ローカルエリアネットワークであってよく、更には無線ローカルエリアネットワークであってよく、これは実際の要件に従って設定されてよい。
【００４０】
この実施形態は、アクセスホットスポットとしてモバイルネットワークアクセス装置４を含むローカルエリアネットワークを確立する方法を制限せず、該方法は、当業者に知られる方法であり、詳細はここでは記載されない。
【００４１】
更に、インターフェース装置は、電話装置へ接続するよう構成される電話インターフェース６を更に有し、且つ、第１のプロセッサ２は、変換ユニット２３を更に有し、
変換ユニット２３は、電話インターフェース６を使用することによって受信されたアナログボイスアクセス要求情報をデジタルボイスアクセス要求情報へ変換し、第１のプロセッサ２は、第１のＵＳＢインターフェース３を使用することによってデジタルボイスアクセス要求情報をモバイルネットワークアクセス装置４へ送信し、そして、デジタルボイスアクセス要求情報は、モバイルネットワークアクセス装置４に、デジタルボイスアクセス要求情報に従って、モバイルネットワークアクセス装置４へ接続されているワイドエリアネットワークへのＩＰ電話登録要求を開始するよう指示するのに使用され、それにより、アナログボイスアクセス要求情報を送信する電話装置は、ワイドエリアネットワークを用いてＩＰ電話サービスを実行し、且つ
変換ユニット２３は更に、第１のＵＳＢインターフェース３を使用することによって受信されたデジタルＩＰ電話データをアナログＩＰ電話データへ変換し、そして電話インターフェース６を使用することによってアナログＩＰ電話データを電話装置へ送信するよう構成され、且つ、変換ユニット２３は更に、第１のネットワークポート１を使用することによって受信されたデジタルＩＰ電話データをアナログＩＰ電話データへ変換し、そして第１のＵＳＢインターフェース３を使用することによってアナログＩＰ電話データをモバイルネットワークアクセス装置４へ送信するよう構成される。
【００４２】
第１のプロセッサ２は、電話インターフェース６を使用することによってアナログＩＰ電話データを電話装置へ送信する。
【００４３】
電話インターフェース６を使用することによってインターフェース装置へ電話装置によって送信される情報は、アナログ情報のみであってよく、モバイルネットワークアクセス装置４によって処理される情報は、デジタル情報であり、従って、インターフェース装置が第１のＵＳＢインターフェース３を使用することによって情報をモバイルネットワークアクセス装置４へ送信する前に、変換ユニット２３は、電話インターフェース６を使用することによって受信されたアナログボイスアクセス要求情報をデジタルボイスアクセス要求情報へ変換する必要があり、それにより、モバイルネットワークアクセス装置４は、デジタル情報をすき分け、それにより、アナログボイスアクセス要求情報を送信する電話装置は、ワイドエリアネットワークを用いてＩＰ電話サービスを実行する。加えて、モバイルネットワークアクセス装置４がインターフェース装置を使用することによってＩＰ電話データを電話装置へ送信する前に、変換ユニット２３は、第１のＵＳＢインターフェース３を使用することによって受信されたデジタルＩＰ電話データをアナログＩＰ電話データへ変換する。
【００４４】
この実施形態は、変換ユニット２３がアナログ情報をデジタル情報へ変換し又はデジタル情報をアナログ情報へ変換する方法を制限せず、該方法は、当業者に知られている方法であり、詳細はここでは記載されない。
【００４５】
この実施形態は、変換ユニットを制限せず、変換ユニットは、実際の要件に従って設定されてよく、例えば、ＲＴＰ（Ｒｅａｌ−ｔｉｍｅ  Ｔｒａｎｓｐｏｒｔ  Ｐｒｏｔｏｃｏｌ，実時間トランスポートプロトコル）モジュール、ＤＳＰ（Ｄｉｇｉｔａｌ  Ｓｉｇｎａｌ  Ｐｒｏｃｅｓｓｉｎｇ，デジタル信号処理）モジュール、ＳＬＩＣ（Ｓｏｆｔｗａｒｅ  Ｌｉｃｅｎｓｉｎｇ  Ｉｎｔｅｒｎａｌ  Ｃｏｄｅ，ソフトウェアライセンシング内部コード）モジュール、及び同様のものを含んでよく、詳細はここでは記載されない。
【００４６】
前述の解決法を使用することによって、インターフェース装置が、現在接続されている有線ワイドエリアネットワークが利用可能であることを検出した後に、インターフェース装置は、第１のネットワークアクセス命令情報をモバイルネットワークアクセス装置へ送信し、このとき、第１のネットワークアクセス命令情報は、モバイルネットワークアクセス装置に有線ワイドエリアネットワークにアクセスするよう指示するのに使用され、且つ、インターフェース装置が、現在接続されている有線ワイドエリアネットワークが利用不可能であることを検出した後に、インターフェース装置は、第２のネットワークアクセス命令情報をモバイルネットワークアクセス装置へ送信し、このとき、第２のネットワークアクセス命令情報は、モバイルネットワークアクセス装置に無線ワイドエリアネットワークにアクセスするよう指示するのに使用される。このように、モバイルネットワークアクセス装置は、有線ワイドエリアネットワーク又は無線ワイドエリアネットワークにアクセスすることができる。
【００４７】
加えて、モバイルネットワークアクセス装置が有線ワイドエリアネットワーク又は無線ワイドエリアネットワークにアクセスした後に、アクセスホットスポットとしてモバイルネットワークアクセス装置を含むローカルエリアネットワークが更に確立され得、それにより、更なる第１のネットワークアクセス装置がローカルエリアネットワークにアクセスする。
【実施例３】
【００４８】
この実施形態はネットワークアクセス装置を提供し、図３に示されるように、ネットワークアクセス装置は、第２のＵＳＢインターフェース７及び第２のプロセッサ８を有してよく、
第２のＵＳＢインターフェース７は、インターフェース装置９へ接続され、且つ、第１のネットワークアクセス命令情報をインターフェース装置９から受信するよう構成され、且つ
第２のプロセッサ８は、制御ユニット８１及びダイアルアップユニット８２を有し、
制御ユニット８１は、第１のネットワークアクセス命令情報に従って、ダイアルアップユニット８２に、第２のＵＳＢインターフェース７及びインターフェース装置９を使用することによって、インターフェース装置９へ現在接続されている有線ワイドエリアネットワークへダイアルアップ要求を送信するよう指示するよう構成される。
【００４９】
前述の解決法を使用することによって、インターフェース装置９が、現在接続されている有線ワイドエリアネットワークが利用可能であることを検出した後に、インターフェース装置９は、第１のネットワークアクセス命令情報をモバイルネットワークアクセス装置へ送信し、このとき、第１のネットワークアクセス命令情報は、モバイルネットワークアクセス装置に、有線ワイドエリアネットワークにアクセスするよう指示するのに使用される。このように、モバイルネットワークアクセス装置は、インターフェース装置を使用することによって有線ワイドエリアネットワークにアクセスすることができる。
【実施例４】
【００５０】
改善として、この実施形態は他のネットワークアクセス装置を提供し、図４に示されるように、ネットワークアクセス装置は、第２のＵＳＢインターフェース７及び第２のプロセッサ８を有し、
第２のＵＳＢインターフェース７は、インターフェース装置９へ接続され、且つ、第１のネットワークアクセス命令情報をインターフェース装置９から受信するよう構成され、且つ
第２のプロセッサ８は、制御ユニット８１及びダイアルアップユニット８２を有し、
制御ユニット８１は、第１のネットワークアクセス命令情報に従って、ダイアルアップユニット８２に、第２のＵＳＢインターフェース７及びインターフェース装置９を使用することによって、インターフェース装置９へ現在接続されている有線ワイドエリアネットワークへダイアルアップ要求を送信するよう指示するよう構成される。
【００５１】
更に、モバイルネットワークアクセス装置は、無線ネットワークアクセスモジュール１０を更に有する。
【００５２】
第２のＵＳＢインターフェース７は更に、第２のネットワークアクセス命令情報をインターフェース装置９から受信するよう構成される。
【００５３】
制御ユニット８１は更に、第２のネットワークアクセス命令情報に従って、無線ネットワークアクセスモジュール１０に、無線ワイドエリアネットワークにアクセスするよう指示するよう構成される。
【００５４】
この実施形態は、無線ネットワークアクセスモジュール１０を制限せず、無線ネットワークアクセスモジュール１０は、実際の要件に従って設定されてよく、例えば、２Ｇ／３Ｇ／４Ｇモジュールであってよく、詳細はここでは記載されない。
【００５５】
この実施形態は、無線ネットワークアクセスモジュール１０を使用することによって無線ワイドエリアネットワークにアクセスする方法を制限せず、該方法は、当業者に知られている方法であり、詳細はここでは記載されない。
【００５６】
更に、制御ユニット８１は更に、第１のネットワークアクセス命令情報に従って、無線ネットワークアクセスモジュール１０に、無線ワイドエリアネットワークとの接続を断つよう指示するよう構成される。
【００５７】
更に、モバイルネットワークアクセス装置は、ＷｉＦｉモジュール１１を更に有する。
【００５８】
制御ユニット８１は更に、モバイルネットワークアクセス装置４が有線ワイドエリアネットワーク又は無線ワイドエリアネットワークにアクセスした後に、ＷｉＦｉモジュール１１に、アクセスホットスポットとしてモバイルネットワークアクセス装置４を含むローカルエリアネットワークを確立するよう指示するよう構成される。
【００５９】
更に、任意に、モバイルネットワークアクセス装置４は、第１のネットワークアクセス装置が無線様式においてネットワークにアクセスするように、ＷｉＦｉモジュール１１を使用することによって無線ローカルエリアネットワークを確立してよく、あるいは、第２のネットワークアクセス装置が有線様式においてネットワークにアクセスするように、ＷＩＦＩモジュール１１及びインターフェース装置９を使用することによって有線ローカルエリアネットワークを確立してよい。
【００６０】
この実施形態によって提供されるＷｉＦｉモジュール及びＷｉＦｉモジュールを使用することによってローカルエリアネットワークを確立する方法は、当業者に知られている技術であり、詳細はここでは記載されない。
【００６１】
更に、第２のプロセッサ８は更に、第２のＵＳＢインターフェース７を使用することによって受信されたデジタルボイスアクセス要求情報に従って、モバイルネットワークアクセス装置へ接続されているワイドエリアネットワークへのＩＰ電話登録要求を開始するよう構成され、それにより、デジタルボイスアクセス要求情報に対応するアナログボイスアクセス要求情報を送信する電話装置は、ワイドエリアネットワークを用いてＩＰ電話サービスを実行する。
【００６２】
この実施形態の実施様式として、ＩＰ電話サービスは、ＶｏＩＰ（Ｖｏｉｃｅ  ｏｖｅｒ  Ｉｎｔｅｒｎｅｔ  Ｐｒｏｔｏｃｏｌ，ボイス・オーバー・インターネット・プロトコル）電話サ５ービスであってよいが、これに制限されない。
【００６３】
ＶｏＩＰ電話技術は、音声信号に対してデジタル処理、圧縮、符号化及びパケット化を実行し、信号をネットワークを使用することによって送信し、次いで復号化を実行し、デジタル信号を音声へリストアし、それにより、他方の発呼者が音声を聞くことができる。
【００６４】
ＶＯＩＰ電話技術の最大の利点は、インターネット及びグローバルＩＰインターコネクションの環境を幅広く利用することができ、それによりユーザに従来のサービスと比べてより多くのより良いサービスを提供する。ＶＯＩＰ電話技術は、例えば、ユニファイド・メッセージング、仮想電話、仮想音声／ファクシミリメールボックス、番号クエリ、インターネットコールセンタ、ビデオ会議、電子商取引、ファクシミリ記憶及び転送、並びに様々な情報の記憶及び転送といったように、ＩＰネットワーク上で音声、ファクシミリ、映像及びデータのようなサービスを安価に送信することができる。
【００６５】
前述の解決法を使用することによって、インターフェース装置が、現在接続されている有線ワイドエリアネットワークが利用可能であることを検出した後に、インターフェース装置は、第１のネットワークアクセス命令情報をモバイルネットワークアクセス装置へ送信し、このとき、第１のネットワークアクセス命令情報は、モバイルネットワークアクセス装置に有線ワイドエリアネットワークにアクセスするよう指示するのに使用され、且つ、インターフェース装置が、現在接続されている有線ワイドエリアネットワークが利用不可能であることを検出した後に、インターフェース装置は、第２のネットワークアクセス命令情報をモバイルネットワークアクセス装置へ送信し、このとき、第２のネットワークアクセス命令情報は、モバイルネットワークアクセス装置に無線ワイドエリアネットワークにアクセスするよう指示するのに使用される。このように、モバイルネットワークアクセス装置は、有線ワイドエリアネットワーク又は無線ワイドエリアネットワークにアクセスすることができる。
【００６６】
加えて、モバイルネットワークアクセス装置が有線ワイドエリアネットワーク又は無線ワイドエリアネットワークにアクセスした後に、アクセスホットスポットとしてモバイルネットワークアクセス装置を含むローカルエリアネットワークが更に確立され得、それにより、更なる第１のネットワークアクセス装置がローカルエリアネットワークにアクセスする。
【実施例５】
【００６７】
この実施形態はネットワークアクセス方法を提供し、ネットワークポートがインターフェース装置に配置されて、有線ワイドエリアネットワークへ接続するのに使用され、インターフェース装置がＵＳＢインターフェースを使用することによって更にモバイルネットワークアクセス装置へ接続される。具体的に、図５に示されるように、方法は、次のステップを含んでよい：
【００６８】
５０１：インターフェース装置が、現在接続されている前記有線ワイドエリアネットワークが利用可能であるかどうかを検出する。
【００６９】
インターフェース装置へ現在接続されている有線ワイドエリアネットワークが利用可能である場合に、モバイルネットワークアクセス装置は、インターフェース装置を使用することによって、有線ワイドエリアネットワークにアクセスしてよい。従って、モバイルネットワークアクセス装置が有線ワイドエリアネットワークにアクセスする前に、インターフェース装置は最初に、現在接続されている有線ワイドエリアネットワークが利用可能であるかどうかを検出する。
【００７０】
５０２：有線ワイドエリアネットワークが利用可能である場合は、インターフェース装置は、第１のネットワークアクセス命令情報をモバイルネットワークアクセス装置へ送信し、第１のネットワークアクセス命令情報は、モバイルネットワークアクセス装置に、有線ワイドエリアネットワークにアクセスするために、インターフェース装置を使用することによって、有線ワイドエリアネットワークへのダイアルアップ要求を開始するよう指示するのに使用される。
【００７１】
前述の解決法を使用することによって、インターフェース装置が、現在接続されている有線ワイドエリアネットワークが利用可能であることを検出した後に、インターフェース装置は、第１のネットワークアクセス命令情報をモバイルネットワークアクセス装置へ送信し、このとき、第１のネットワークアクセス命令情報は、モバイルネットワークアクセス装置に有線ワイドエリアネットワークにアクセスするよう指示するのに使用される。このように、モバイルネットワークアクセス装置は、インターフェース装置を使用することによって有線ワイドエリアネットワークにアクセスすることができる。
【実施例６】
【００７２】
改善として、この実施形態は他のネットワークアクセス方法を提供し、ネットワークポートがインターフェース装置に配置されて、有線ワイドエリアネットワークへ接続するのに使用され、インターフェース装置がＵＳＢインターフェースを使用することによって更にモバイルネットワークアクセス装置へ接続される。具体的に、図６に示されるように、方法は、次のステップを含んでよい：
【００７３】
６０１：インターフェース装置が、現在接続されている前記有線ワイドエリアネットワークが利用可能であるかどうかを検出する。
【００７４】
インターフェース装置へ現在接続されている有線ワイドエリアネットワークが利用可能である場合に、モバイルネットワークアクセス装置は、インターフェース装置を使用することによって、有線ワイドエリアネットワークにアクセスしてよい。従って、モバイルネットワークアクセス装置が有線ワイドエリアネットワークにアクセスする前に、インターフェース装置は最初に、現在接続されている有線ワイドエリアネットワークが利用可能であるかどうかを検出する。
【００７５】
更に、任意に、インターフェース装置は、現在接続されている有線ワイドエリアネットワークが利用可能であるかどうかを自動的に又は手動により検出してよい。現在接続されている有線ワイドエリアネットワークが利用可能であるかどうかをインターフェース装置によって自動的に検出することは、以下を含んでよい：
【００７６】
有線ワイドエリアネットワークが利用可能であるかどうかが、第１のネットワークポートが利用可能な有線ワイドエリアネットワークへ接続されるかどうかである場合は、現在接続されている有線ワイドエリアネットワークが利用可能であるかどうかをインターフェース装置によって検出することは、現在接続されている第１のネットワークポートが利用可能な有線ワイドエリアネットワークへ接続されるかどうかをインターフェース装置によって検出することである。
【００７７】
あるいは、有線ワイドエリアネットワークが利用可能であるかどうかが、第１のネットワークポートが使用可能であるかどうかである場合は、現在接続されている有線ワイドエリアネットワークが利用可能であるかどうかをインターフェース装置によって検出することは、第１のネットワークポートが使用可能であるかをインターフェース装置によって検出することである。
【００７８】
現在接続されている有線ワイドエリアネットワークが利用可能であるかどうかをインターフェース装置によって手動により検出することは、インターフェース装置にボタンを配置することと、インターフェース装置が有線ワイドエリアネットワークへ接続された後に、ボタンをユーザによって押下し、次いでインターフェース装置によって第１のネットワークアクセス命令情報をモバイルネットワークアクセス装置へ送信することとを含んでよい。
【００７９】
この実施形態は、第１のネットワークアクセス命令情報をモバイルネットワークアクセス装置へ送信するようインターフェース装置を能動的にトリガする又は手動によりトリガする方法を制限せず、該方法は、当業者に知られている如何なる方法であってもよく、詳細はここでは記載されない。
【００８０】
具体的に、有線ワイドエリアネットワークが利用可能である場合は、ステップ６０２が実行され、有線ワイドエリアネットワークが利用不可能である場合は、ステップ６０３が実行される。
【００８１】
６０２：有線ワイドエリアネットワークが利用可能である場合は、インターフェース装置は、第１のネットワークアクセス命令情報をモバイルネットワークアクセス装置へ送信し、第１のネットワークアクセス命令情報は、モバイルネットワークアクセス装置に、有線ワイドエリアネットワークにアクセスするために、インターフェース装置を使用することによって、有線ワイドエリアネットワークへのダイアルアップ要求を開始するよう指示するのに使用される。
【００８２】
更に、任意に、有線ワイドエリアネットワークが利用可能であるかどうかが、第１のネットワークポートが利用可能な有線ワイドエリアネットワークへ接続されるかどうかである場合は、有線ワイドエリアネットワークが利用可能である場合にインターフェース装置が第１のネットワークアクセス命令情報をモバイルネットワークアクセス装置へ送信することは、第１のネットワークポートが利用可能な有線ワイドエリアネットワークへ接続される場合にインターフェース装置が第１のネットワークアクセス命令情報をモバイルネットワークアクセス装置へ送信することである。
【００８３】
更に、任意に、有線ワイドエリアネットワークが利用可能であるかどうかが、第１のネットワークポートが使用可能であるかどうかである場合は、有線ワイドエリアネットワークが利用可能である場合にインターフェース装置が第１のネットワークアクセス命令情報をモバイルネットワークアクセス装置へ送信することは、第１のネットワークポートが使用可能である場合にインターフェース装置が第１のネットワークアクセス命令情報をモバイルネットワークアクセス装置へ送信することである。
【００８４】
更に、任意に、第１のネットワークアクセス命令情報は更に、モバイルネットワークアクセス装置に、モバイルネットワークアクセス装置を無線ワイドエリアネットワークから切り離すよう指示するのに使用される。
【００８５】
モバイルネットワークアクセス装置は、有線ワイドエリアネットワーク又は無線ワイドエリアネットワークにアクセスしてよい。第１のネットワークアクセス命令情報は、モバイルネットワークアクセス装置に、インターフェース装置を使用することによって、有線ワイドエリアネットワークにアクセスするよう指示するのに使用されるので、第１のネットワークアクセス命令情報を受信した後に、モバイルネットワークアクセス装置は、モバイルネットワークアクセス装置を無線ワイドエリアネットワークから切り離す。
【００８６】
ステップ６０４が実行される。
【００８７】
６０３：インターフェース装置は、第２のネットワークアクセス命令情報をモバイルネットワークアクセス装置へ送信し、第２のネットワークアクセス命令情報は、モバイルネットワークアクセス装置に無線ワイドエリアネットワークにアクセスするよう指示するのに使用される。
【００８８】
有線ワイドエリアネットワークが利用不可能である場合は、モバイルネットワークアクセス装置は、無線ワイドエリアネットワークにアクセスしてよく、従って、インターフェース装置は、第２のネットワークアクセス命令情報をモバイルネットワークアクセス装置へ送信し、それにより、モバイルネットワークアクセス装置は無線ワイドエリアネットワークにアクセスする。
【００８９】
この実施形態は、モバイルネットワークアクセス装置が無線ワイドエリアネットワークにアクセスする方法を制限せず、該方法は、当業者に知られている方法であり、当業者に知られている如何なる方法においても実施されてよく、詳細はここでは記載されない。
【００９０】
図７は、ステップ６０１乃至ステップ６０３のフローチャートである。
【００９１】
６０４：インターフェース装置は、アナログボイスアクセス要求情報を受信する。
【００９２】
モバイルネットワークアクセス装置が有線ワイドエリアネットワーク又は無線ワイドエリアネットワークにアクセスした後に、一般的な電話機がインターフェース装置又はモバイルネットワークアクセス装置を使用することによってＩＰ電話サービスを実行することができるために、インターフェース装置は、電話装置によって送信されたアナログボイスアクセス要求情報を受信する。
【００９３】
６０５：アナログボイスアクセス要求情報をデジタルボイスアクセス要求情報へ変換する。
【００９４】
６０６：デジタルボイスアクセス要求情報をモバイルネットワークアクセス装置へ送信する。デジタルボイスアクセス要求情報は、モバイルネットワークアクセス装置に、デジタルボイスアクセス要求情報に従って、モバイルネットワークアクセス装置へ接続されているワイドエリアネットワークへのＩＰ電話登録要求を開始するよう指示するのに使用され、それにより、アナログボイスアクセス要求情報を送信する電話装置は、ワイドエリアネットワークを用いてＩＰ電話サービスを実行する。
【００９５】
モバイルネットワークアクセス装置へ接続されるワイドエリアネットワークは、有線ワイドエリアネットワーク又は無線ワイドエリアネットワークであってよく、この点で制限されない。
【００９６】
６０７：デジタルＩＰ電話データを受信する。
【００９７】
電話装置がワイドエリアネットワークにアクセスした後に、電話装置は、ＩＰ電話サービスの実行を実施するよう、ワイドエリアネットワークによるデータ伝送を実行する必要がある。
【００９８】
インターフェース装置は、ワイドエリアネットワークによって送信されたデジタルＩＰ電話データを受信し、第１のＵＳＢインターフェース３を使用することによってデジタルＩＰ電話データをモバイルネットワークアクセス装置へ送信し、次いで、モバイルネットワークアクセス装置は、デジタルＩＰ電話データをインターフェース装置へ送信する。
【００９９】
６０８：デジタルＩＰ電話データをアナログＩＰ電話データへ変換する。
【０１００】
電話装置はアナログ情報しか認識することができないので、インターフェース装置は、第１のＵＳＢインターフェース３を使用することによって受信されたデジタルＩＰ電話データをアナログＩＰ電話データへ変換する。
【０１０１】
６０９：アナログＩＰ電話データを電話装置へ送信する。
【０１０２】
更に、任意に、モバイルネットワークアクセス装置がワイドエリアネットワークにアクセスし、且つ、アクセスホットスポットとしてモバイルネットワークアクセス装置を含むローカルエリアネットワークが確立された後、第１のネットワークアクセス装置は更に、ローカルエリアネットワークにアクセスするために、インターフェース装置を使用することによってアクセス要求をローカルエリアネットワークへ送信してよい。
【０１０３】
この実施形態によって提供される第１のネットワークアクセス装置は、モバイルネットワークアクセス装置又は非モバイルネットワークアクセス装置であってよく、実際の要件に従って設定されてよく、詳細はここでは記載されない。
【０１０４】
前述の解決法を使用することによって、インターフェース装置が、現在接続されている有線ワイドエリアネットワークが利用可能であることを検出した後に、インターフェース装置は、第１のネットワークアクセス命令情報をモバイルネットワークアクセス装置へ送信し、このとき、第１のネットワークアクセス命令情報は、モバイルネットワークアクセス装置に、有線ワイドエリアネットワークにアクセスするよう指示するのに使用され、且つ、インターフェース装置が、現在接続されている有線ワイドエリアネットワークが利用不可能であることを検出した後に、インターフェース装置は、第２のネットワークアクセス命令情報をモバイルネットワークアクセス装置へ送信し、このとき、第２のネットワークアクセス命令情報は、モバイルネットワークアクセス装置に、無線ワイドエリアネットワークにアクセスするよう指示するのに使用される。このように、モバイルネットワークアクセス装置は、有線ワイドエリアネットワーク又は無線ワイドエリアネットワークにアクセスすることができる。
【０１０５】
加えて、モバイルネットワークアクセス装置が有線ワイドエリアネットワーク又は無線ワイドエリアネットワークにアクセスした後に、アクセスホットスポットとしてモバイルネットワークアクセス装置を含むローカルエリアネットワークが更に確立され得、それにより、更なる第１のネットワークアクセス装置がローカルエリアネットワークにアクセスする。
【実施例７】
【０１０６】
この実施形態はネットワークアクセス方法を提供し、方法はモバイルネットワークアクセス装置によって実行される。ＵＳＢインターフェースがモバイルネットワークアクセス装置に配置され、モバイルネットワークアクセス装置は、ＵＳＢインターフェースを使用することによってインターフェース装置へ接続される。図８に示されるように、方法は、次のステップを含んでよい：
【０１０７】
８０１：モバイルネットワークアクセス装置が、第１のネットワークアクセス命令情報をインターフェース装置から受信する。
【０１０８】
８０２：第１のネットワークアクセス命令情報に従って、インターフェース装置へ現在接続されている有線ワイドエリアネットワークにアクセスするために、有線ワイドエリアネットワークへダイアルアップ要求を送信する。
【０１０９】
前述の解決法を使用することによって、インターフェース装置が、現在接続されている有線ワイドエリアネットワークが利用可能であることを検出した後に、インターフェース装置は、第１のネットワークアクセス命令情報をモバイルネットワークアクセス装置へ送信し、このとき、第１のネットワークアクセス命令情報は、モバイルネットワークアクセス装置に、有線ワイドエリアネットワークにアクセスするよう指示するのに使用される。このように、モバイルネットワークアクセス装置は、インターフェース装置を使用することによって有線ワイドエリアネットワークにアクセスすることができる。
【実施例８】
【０１１０】
改善として、この実施形態は他のネットワークアクセス方法を提供し、方法はモバイルネットワークアクセス装置によって実行される。ＵＳＢインターフェースがモバイルネットワークアクセス装置に配置され、モバイルネットワークアクセス装置は、ＵＳＢインターフェースを使用することによってインターフェース装置へ接続される。
【０１１１】
具体的に、モバイルネットワークアクセス装置が受信するものが第１のネットワークアクセス命令情報である場合は、ステップ９０１が実行され、モバイルネットワークアクセス装置が受信するものが第２のネットワークアクセス命令情報である場合は、ステップ９０４が実行される。図９に示されるように、方法は、次のステップを含んでよい：
【０１１２】
９０１：モバイルネットワークアクセス装置が、第１のネットワークアクセス命令情報をインターフェース装置から受信する。
【０１１３】
９０２：モバイルネットワークアクセス装置が、無線ワイドエリアネットワークへの接続を断つ。
【０１１４】
モバイルネットワークアクセス装置は、無線ワイドエリアネットワークへ接続されてよいが、第１のネットワークアクセス命令情報は、モバイルネットワークアクセス装置に有線ワイドエリアネットワークにアクセスするよう指示するのに使用される。従って、第１のネットワークアクセス命令情報が受信された後に、モバイルネットワークアクセス装置は、無線ワイドエリアネットワークへの接続を断つ。
【０１１５】
この実施形態は、モバイルネットワークアクセス装置が有線ワイドエリアネットワークにアクセスする方法を制限せず、該方法は、当業者に知られている如何なる方法であってもよく、詳細はここでは記載されない。
【０１１６】
９０３：第１のネットワークアクセス命令情報に従って、インターフェース装置へ現在接続されている有線ワイドエリアネットワークにアクセスするために、有線ワイドエリアネットワークへダイアルアップ要求を送信する。
【０１１７】
この実施形態の実施様式として、モバイルネットワークアクセス装置は、受信された第１のネットワークアクセス命令情報に従って、インターフェース装置へ現在接続されている有線ワイドエリアネットワークへダイアルアップ要求を送信し、このとき、ダイアルアップ要求は、モバイルネットワークアクセス装置のアドレス情報を含んでよく、それにより、有線ワイドエリアネットワークは、モバイルネットワークアクセス装置がネットワークにアクセスすることができると決定した後に、ネットワークアドレスをモバイルネットワークアクセス装置に割り当てる。ネットワークアドレスは、ＩＰアドレスであってよいが、これに制限されず、モバイルネットワークアクセス装置は、ＩＰアドレスを使用することによって有線ワイドエリアネットワークによるデータ伝送を実行する。
【０１１８】
ステップ９０６が実行される。
【０１１９】
９０４：第２のネットワークアクセス命令情報をインターフェース装置から受信する。
【０１２０】
９０５：第２のネットワークアクセス命令情報に従って無線ワイドエリアネットワークにアクセスする。
【０１２１】
この実施形態は、モバイルネットワークアクセス装置が無線ワイドエリアネットワークにアクセスする方法を制限しない。例えば、方法は、モバイルネットワークアクセス装置内に構成される３Ｇ／４Ｇモジュールを使用することによって無線ワイドエリアネットワークにアクセスすることであってよいが、これに制限されず、詳細はここでは記載されない。
【０１２２】
９０６：モバイルネットワークアクセス装置が有線ワイドエリアネットワーク又は無線ワイドエリアネットワークにアクセスした後に、モバイルネットワークアクセス装置は、アクセスホットスポットとしてモバイルネットワークアクセス装置を含むローカルエリアネットワークを確立する。
【０１２３】
少なくとも１つの第１のネットワークアクセス装置がモバイルネットワークアクセス装置を使用することによってネットワークにアクセスすることができるために、モバイル装置が有線ワイドエリアネットワーク又は無線ワイドエリアネットワークにアクセスした後に、モバイルネットワークアクセス装置は、アクセスホットスポットとしてモバイルネットワークアクセス装置を含むローカルエリアネットワークを確立する。
【０１２４】
更に、任意に、第１のネットワークアクセス装置は、モバイルネットワークアクセス装置及びインターフェース装置を使用することによって有線ローカルエリアネットワークにアクセスしてよく、且つ、モバイルネットワークアクセス装置におけるＷｉＦｉモジュールを使用することによって無線ローカルエリアネットワークにアクセスしてもよい。
【０１２５】
この実施形態の実施様式として、モバイルネットワークアクセス装置及びインターフェース装置を使用することによって有線ローカルエリアネットワークにアクセスすることは、第１のネットワークアクセス装置によって、インターフェース装置を使用することによってモバイルネットワークアクセス装置へローカルエリアネットワークアクセス要求を送信し、ローカルエリアネットワークアクセス要求が第１のネットワークアクセス装置の識別情報を含んでよいことと、モバイルネットワークアクセス装置によって、ローカルエリアネットワークアクセス要求に従って、ローカルエリアネットワークへのアクセス要求を開始することと、第１のネットワークアクセス装置がローカルエリアネットワークにアクセスすることを許可される場合に、ネットワークアドレスを第１のネットワークアクセス装置に割り当てることと、モバイルネットワークアクセス装置及びインターフェース装置を使用することによってネットワークアドレスを第１のネットワークアクセス装置へ送信することとを含んでよく、それにより、第１のネットワークアクセス装置は、ローカルエリアネットワークによるデータ伝送を実行する。
【０１２６】
この実施形態は、モバイルネットワークアクセス装置がモバイルネットワークアクセス装置及びインターフェース装置を使用することによって有線ローカルエリアネットワークにアクセスする方法を制限しない。例えば、モバイルネットワークアクセス装置は、インターフェース装置の第２のネットワークポートを使用することによって有線ローカルエリアネットワークにアクセスしてよく、このとき、第２のネットワークポートは、“実施例２”において提供される第２のネットワークポートであってよく、詳細はここで記載されない。
【０１２７】
９０７：デジタルボイスアクセス要求情報を受信する。
【０１２８】
電話装置が、モバイルネットワークアクセス装置へ接続されるワイドエリアネットワークを用いてＩＰ電話サービスを実行する場合に、電話装置は最初に、インターフェース装置を使用することによってボイスアクセス要求情報をモバイルネットワークアクセス装置へ送信する。
【０１２９】
具体的に、電話装置によって送信されたアナログボイスアクセス要求情報をデジタルボイスアクセス要求情報へ変換した後に、インターフェース装置は、デジタルボイスアクセス要求情報をモバイルネットワークアクセス装置へ送信する。アナログボイスアクセス要求情報及びデジタルボイスアクセス要求情報はいずれも、電話装置の識別情報を含んでよいが、これに制限されない。
【０１３０】
９０８：モバイルネットワークアクセス装置へ接続されているワイドエリアネットワークへのＩＰ電話登録要求を開始し、それにより、デジタルボイスアクセス要求情報に対応するアナログボイスアクセス要求情報を送信する電話装置は、ワイドエリアネットワークを用いてＩＰ電話サービスを実行する。
【０１３１】
デジタルボイスアクセス要求情報を受信した後に、モバイルネットワークアクセス装置は、ワイドエリアネットワークへのＩＰ電話登録要求を開始し、このとき、ＩＰ電話登録要求は、電話装置のアドレス情報又は識別情報を含んでよいが、これに制限されず、それにより、ワイドエリアネットワークは、登録要求に従って、電話装置がワイドエリアネットワークにアクセスすることを許可されることを決定し、次いで、ワイドエリアネットワークは、ネットワークリソースを電話装置に割り当て、それにより、デジタルボイスアクセス要求情報に対応するアナログボイスアクセス要求情報を送信する電話装置は、ワイドエリアネットワークを用いてＩＰ電話サービスを実行する。
【０１３２】
図１０は、ＩＰ電話サービスをサポートしないネットワークアクセス方法のフローチャートである。
【０１３３】
前述の解決法を使用することによって、インターフェース装置が、現在接続されている有線ワイドエリアネットワークが利用可能であることを検出した後に、インターフェース装置は、第１のネットワークアクセス命令情報をモバイルネットワークアクセス装置へ送信し、このとき、第１のネットワークアクセス命令情報は、モバイルネットワーク装置に、有線ワイドエリアネットワークにアクセスするよう指示するのに使用され、且つ、インターフェース装置が、現在接続されている有線ワイドエリアネットワークが利用不可能であることを検出した後に、インターフェース装置は、第２のネットワークアクセス命令情報をモバイルネットワークアクセス装置へ送信し、このとき、第２のネットワークアクセス命令情報は、モバイルネットワークアクセス装置に、無線ワイドエリアネットワークにアクセスするよう指示するのに使用される。このように、モバイルネットワークアクセス装置は、有線ワイドエリアネットワーク又は無線ワイドエリアネットワークにアクセスすることができる。
【０１３４】
加えて、モバイルネットワークアクセス装置が有線ワイドエリアネットワーク又は無線ワイドエリアネットワークにアクセスした後に、アクセスホットスポットとしてモバイルネットワークアクセス装置を含むローカルエリアネットワークが更に確立され得、それにより、第１のネットワークアクセス装置がローカルエリアネットワークにアクセスする。
【０１３５】
本願で提供される幾つかの実施形態において、開示されている装置及び方法は他の様式において実施されてよい点が理解されるべきである。例えば、記載される装置の実施形態は例に過ぎない。例えば、ユニットの分割は単に論理機能の分割であり、実際の実施では他の分割が存在してよい。例えば、複数のユニット又はコンポーネントは、他のシステムに結合又は集積されてよく、あるいは、幾つかの特徴は、無視され又は実行されなくてよい。加えて、表示又は議論される相互結合又は直接的な結合若しくは通信接続は、幾つかのインターフェースを通じて実施されてよい。装置又はユニットの間の間接的な結合又は通信接続は、電子的な、機械的な、又は他の形態において実施されてよい。
【０１３６】
別個のユニットとして記載されるユニットは、物理的に別々であってもなくてもよく、ユニットとして表示される部分は、物理ユニットであってもなくてもよく、すなわち、１つの場所に置かれてよく、あるいは、複数のネットワークユニットに分散されてよい。ユニットの一部又は全ては、実施形態の解決法の目的を達成するよう実際のニーズに従って選択されてよい。
【０１３７】
加えて、本発明の実施形態における機能ユニット、例えば、インターフェース装置の検出ユニット及び命令ユニット、又はモバイルネットワークアクセス装置のダイアルアップユニット及び制御ユニットは、１つの処理ユニットに集積されてよく、あるいは、ユニットの夫々は物理的に単独で存在してよく、あるいは、２又はそれ以上のユニットは１つのユニットに集積されてよい。集積ユニットは、ハードウェアの形で実施されてよく、あるいは、ハードウェア及びソフトウェア機能ユニットの形で実施されてよい。
【０１３８】
実施形態の前述の説明を通じて、当業者は、本発明がソフトウェア及び必要な汎用ハードウェアによって実施されてよく、当然にハードウェアによっても実施されてよいことを明りょうに理解することができる。しかしながら、ほとんどの状況下で、前者が実行される。そのような理解に基づき、原則的には本発明の技術的解決法、又は先行技術に寄与する部分は、ソフトウェア製品の形で実施されてよい。コンピュータソフトウェア製品は、読み取り可能な記憶媒体、例えば、コンピュータのフロッピー（登録商標）ディスク、ハードディスク、又は光ディスクにおいて記憶され、コンピュータ装置（パーソナルコンピュータ、サーバ、又はネットワーク装置であってよい。）に本発明の実施形態において記載される方法を実行するよう指示する幾つかの命令を含む。
【０１３９】
前述の説明は、単に本発明の具体的な実施形態であり、本発明の保護範囲を制限するよう意図されない。本発明において開示される技術的範囲内で当業者によって容易に考え出される如何なる変形又は置換も、本発明の保護範囲内にあるべきである。従って、本発明の保護範囲は、特許請求の範囲の保護範囲に従うべきである。
【図１】
0005908123.tif 000002
【図２】
0005908123.tif 000003
【図３】
0005908123.tif 000004
【図４】
0005908123.tif 000005
【図５】
0005908123.tif 000006
【図６】
0005908123.tif 000007
【図７】
0005908123.tif 000008
【図８】
0005908123.tif 000009
【図９】
0005908123.tif 000010
【図１０】
0005908123.tif 000011